(57)【要約】【課題】情報を表示した上側板を傾斜した姿勢に保持することのできる包装箱を提供する。【解決手段】  本発明の包装箱１は、側壁１１Ｂに第２下側開口部が形成される周壁１Ａと、第２下側開口部の下縁部から外側斜め上方に延びた状態に設けられる下側板４０と、下側板４０の上端部から内側斜め上方に延びた状態に設けられ、その上面に広告（情報）が表示される上外側板４１Ａ（上側板４１）と、第２下側開口部の側縁部に形成され、上側板４１の左右方向両端部に係合して上外側板４１Ａ（上側板４１）を傾斜した姿勢に保持する係合部３９と、を備えている。【選択図】図７
2018193114.tif 000002
【特許請求の範囲】
【請求項１】
側面に開口部（３０Ｂ，６０Ａ）が形成される周壁（１Ａ，２Ａ）と、
前記開口部の下縁部から外側または外側斜め上方に延びた状態に設けられる下側板（４０，７０）と、
前記下側板の先端部から内側斜め上方に延びた状態に設けられ、その上面に情報が表示される上側板（４１，７１）と、
前記開口部の側縁部に形成され、前記上側板の上下方向に交差する幅方向端部に係合して前記上側板を傾斜した姿勢に保持する係合部（３９，６５）と、を備えていることを特徴とする包装箱（１，２）。
【請求項２】
前記下側板と前記上側板とが成す角度（θ１，θ１０）は、７０度以上１６０度以下の範囲であることを特徴とする請求項１に記載の包装箱。
【請求項３】
前記上側板は、
前記下側板の先端部から内側斜め上方に延びた状態に設けられる上外側板（４１Ａ）と、
前記上外側板の上端部から前記周壁の内部に向かって斜め下方に延びた状態に設けられ、前記上外側板の幅方向端部との間に前記係合部を挟み込む切込み部（３８）を形成する上内側板（４１Ｂ）と、を含んでいることを特徴とする請求項１または２に記載の包装箱。
【請求項４】
前記係合部は、前記上側板の幅方向端部を挟み込む切込み部（４２）を有していることを特徴とする請求項１または２に記載の包装箱。
【請求項５】
前記上側板の幅方向端部には、前記開口部の側縁部に係合する凹部（７２）が凹んだ状態に形成され、
前記係合部は、前記開口部の側縁部から内側に向かって突き出した係合凸部（６５Ａ）を含み、
前記係合凸部は、前記凹部よりも上方において前記上側板の幅方向端部に係合することを特徴とする請求項１または２に記載の包装箱。
【請求項６】
前記下側板および前記上側板は、それぞれ、前記周壁の下端部から上方に向かって延びた切断線に沿って切断された前記周壁の一部によって形成され、
前記開口部は、前記切断線に沿って前記下側板および前記上側板を切断した位置に形成され、
前記上側板は、下方から上方に向かって幅方向に徐々に広がるように形成されていることを特徴とする請求項１ないし５のいずれかに記載の包装箱。
【発明の詳細な説明】
【技術分野】
【０００１】
本発明は、包装箱に関する。
【背景技術】
【０００２】
内容物の包装および陳列に使用される包装箱が知られている。
【０００３】
例えば、特許文献１に記載のディスプレイ兼用カートンは、側壁の下部に第１の横折線を介して連なった後板片と、後板片の上端部に第２の横折線を介して連なった前板片と、を備えている。後板片は第１の横折線で外側に折り曲げられ、後板片と前板片とは、互いの内面を対向させるように（重なるように）第２の横折線で折り曲げられている。前板片は、係合部に係合することで、その表面に表示された絵柄等が前方斜め上方から視認可能となるように傾斜した状態に保持されている。
【先行技術文献】
【特許文献】
【０００４】
【特許文献１】特許第４１７５７１３号公報
【発明の概要】
【発明が解決しようとする課題】
【０００５】
ところで、前板片と後板片との折り曲げ部分には、前板片を元に戻そうとする力（反発力）が働いている。この反発力は、前板片と後板片との成す角度が小さくなる程、強く（大きく）なると考えられる。上記したディスプレイ兼用カートンでは、前板片が後板片に重なるように折り曲げられているため、その折り曲げ部分に強い反発力が働いていた。この反発力によって、前板片が係合部から離脱してしまい、前板片の傾斜姿勢を保持することができないことがあった。
【０００６】
本発明は、上記課題を解決するために、情報を表示した上側板を傾斜した姿勢に保持することのできる包装箱を提供する。
【課題を解決するための手段】
【０００７】
上記した目的を達成するため、本発明の包装箱は、側面に開口部が形成される周壁と、前記開口部の下縁部から外側または外側斜め上方に延びた状態に設けられる下側板と、前記下側板の先端部から内側斜め上方に延びた状態に設けられ、その上面に情報が表示される上側板と、前記開口部の側縁部に形成され、前記上側板の上下方向に交差する幅方向端部に係合して前記上側板を傾斜した姿勢に保持する係合部と、を備えている。
【０００８】
この場合、前記下側板と前記上側板とが成す角度は、７０度以上１６０度以下の範囲であることが好ましい。
【０００９】
この場合、前記上側板は、前記下側板の先端部から内側斜め上方に延びた状態に設けられる上外側板と、前記上外側板の上端部から前記周壁の内部に向かって斜め下方に延びた状態に設けられ、前記上外側板の幅方向端部との間に前記係合部を挟み込む切込み部を形成する上内側板と、を含んでいることが好ましい。
【００１０】
他の場合、前記係合部は、前記上側板の幅方向端部を挟み込む切込み部を有していることが好ましい。
【００１１】
また、他の場合、前記上側板の幅方向端部には、前記開口部の側縁部に係合する凹部が凹んだ状態に形成され、前記係合部は、前記開口部の側縁部から内側に向かって突き出した係合凸部を含み、前記係合凸部は、前記凹部よりも上方において前記上側板の幅方向端部に係合することが好ましい。
【００１２】
この場合、前記下側板および前記上側板は、それぞれ、前記周壁の下端部から上方に向かって延びた切断線に沿って切断された前記周壁の一部によって形成され、前記開口部は、前記切断線に沿って前記下側板および前記上側板を切断した位置に形成され、前記上側板は、下方から上方に向かって幅方向に徐々に広がるように形成されていることが好ましい。
【発明の効果】
【００１３】
本発明によれば、情報を表示した上側板を傾斜した姿勢に保持することができる。
【図面の簡単な説明】
【００１４】
【図１】本発明の第１実施形態に係る包装箱を示す斜視図である。
【図２】本発明の第１実施形態に係る包装箱のブランクを示す平面図である。
【図３】本発明の第１実施形態に係る包装箱のブランクの第２開封構造を示す平面図である。
【図４】本発明の第１実施形態に係る包装箱であって、第１開口部が開口した状態を示す斜視図である。
【図５】本発明の第１実施形態に係る包装箱であって、第２上側開口部が開口した状態を示す斜視図である。
【図６】本発明の第１実施形態に係る包装箱であって、第２上側開口部および第２下側開口部が開口した状態を示す斜視図である。
【図７】本発明の第１実施形態に係る包装箱であって、上外側板が傾斜した姿勢になった状態を示す斜視図である。
【図８】図７のＶＩＩＩ−ＶＩＩＩ断面図である。
【図９】本発明の第１実施形態に係る包装箱であって、切込み部で係合部を挟み込んだ状態を示す斜視図である。
【図１０】本発明の第１実施形態の変形例に係る包装箱のブランクの第２開封構造を示す平面図である。
【図１１】本発明の第２実施形態に係る包装箱を示す斜視図である。
【図１２】本発明の第２実施形態に係る包装箱のブランクを示す平面図である。
【図１３】本発明の第２実施形態に係る包装箱のブランクの開封構造を示す平面図である。
【図１４】本発明の第２実施形態に係る包装箱の上部を除去した状態を示す斜視図である。
【図１５】本発明の第２実施形態に係る包装箱であって、開口部が開口した状態を示す斜視図である。
【図１６】本発明の第２実施形態に係る包装箱であって、上側板が傾斜した姿勢になった状態を示す斜視図である。
【図１７】本発明の第２実施形態に係る包装箱であって、凹部と係合部とが係合した状態を示す斜視図である。
【図１８】図１６のＸＶＩＩＩ−ＸＶＩＩＩ断面図である。
【図１９】本発明の第２実施形態の変形例に係る包装箱のブランクの開封構造を示す平面図である。
【発明を実施するための形態】
【００１５】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、これらの方向を示す用語は、説明の便宜のために用いるものであって、本発明の技術的範囲を限定するものではない。
【００１６】
［第１実施形態］
図１ないし図３を参照して、第１実施形態に係る包装箱１の構成について説明する。図１は包装箱１を示す斜視図である。図２は包装箱１のブランク５を示す平面図である。図３はブランク５の第２開封構造３０を示す平面図である。
【００１７】
図１に示すように、包装箱１は、角筒状の周壁１Ａの上面および下面を閉塞して封緘されるＡ式の箱である。包装箱１の内部には、例えば、飲料用の缶、瓶またはペットボトル等（内容物）が収容されている（図示せず）。
【００１８】
包装箱１は、図２に示すブランク５を組み立てることで形成される。ブランク５は、一枚の紙製の段ボールシートをダイカッタ等で打ち抜くことで形成されている。段ボールシートは、例えば、波状の中しん９Ａに表ライナ９Ｂと裏ライナ９Ｃ（図４参照）とを貼り合せたものである。なお、図２は、表ライナ９Ｂ側（包装箱１の外面側）を示している。本明細書では、段ボールの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、「上下方向」、「前後方向」および「左右方向」並びにこれらに類する用語は、包装箱１を組み立てた状態（組立状態）における上下方向、前後方向および左右方向（上下方向に交差（直交）する幅方向）並びにこれらに類する概念を指している。
【００１９】
［ブランク］
図２に示すように、ブランク５は、一対の端壁１０Ａ，１０Ｂと、一対の側壁１１Ａ，１１Ｂと、継代片１２と、一対の第１内フラップ１３Ａ，１３Ｂと、一対の第１外フラップ１４Ａ，１４Ｂと、一対の第２内フラップ１５Ａ，１５Ｂと、一対の第２外フラップ１６Ａ，１６Ｂと、を含んでいる。
【００２０】
端壁１０Ａ、側壁１１Ａ、端壁１０Ｂ、側壁１１Ｂおよび継代片１２は、この順番で流れ方向一方から他方に向かって一列に並んでいる。一対の端壁１０Ａ，１０Ｂと一対の側壁１１Ａ，１１Ｂとは、第１罫線Ｌ１を介して流れ方向に交互に連なった状態に設けられている。各端壁１０Ａ，１０Ｂおよび各側壁１１Ａ，１１Ｂは、それぞれ、略長方形状に形成されている。各端壁１０Ａ，１０Ｂの段方向の寸法は、各側壁１１Ａ，１１Ｂの段方向の寸法と略同一である。各端壁１０Ａ，１０Ｂの流れ方向の寸法は、各側壁１１Ａ，１１Ｂの流れ方向の寸法よりも短く（略半分）設定されている。継代片１２は、第１罫線Ｌ１を介して側壁１１Ｂの流れ方向他端部に連なった状態に設けられている。
【００２１】
一対の第１内フラップ１３Ａ，１３Ｂは、第２罫線Ｌ２を介して一対の端壁１０Ａ，１０Ｂの段方向一端部（上端部）に連なった状態に設けられている。一対の第１内フラップ１３Ａ，１３Ｂは、それぞれ、略長方形状に形成されている。詳細には、一対の第１内フラップ１３Ａ，１３Ｂの流れ方向内側角部には、略正方形状に切り欠かれた欠損部１３Ｃが形成されている。各第１内フラップ１３Ａ，１３Ｂの段方向の寸法は、各端壁１０Ａ，１０Ｂの流れ方向の寸法の略半分に設定されている。各第１内フラップ１３Ａ，１３Ｂの流れ方向の寸法は、各端壁１０Ａ，１０Ｂの流れ方向の寸法と略同一である。
【００２２】
一対の第１外フラップ１４Ａ，１４Ｂは、第２罫線Ｌ２を介して一対の側壁１１Ａ，１１Ｂの段方向一端部（上端部）に連なった状態に設けられている。一対の第１外フラップ１４Ａ，１４Ｂは、それぞれ、略長方形状に形成されている。各第１外フラップ１４Ａ，１４Ｂの段方向の寸法は、各第１内フラップ１３Ａ，１３Ｂの段方向の寸法と略同一である。各第１外フラップ１４Ａ，１４Ｂの流れ方向の寸法は、各側壁１１Ａ，１１Ｂの流れ方向の寸法と略同一である。
【００２３】
一対の第２内フラップ１５Ａ，１５Ｂは、第３罫線Ｌ３を介して一対の端壁１０Ａ，１０Ｂの段方向他端部（下端部）に連なった状態に設けられている。各第２内フラップ１５Ａ，１５Ｂは、欠損部１３Ｃを除いた各第１内フラップ１３Ａ，１３Ｂと略同一寸法となる略長方形状に形成されている。一対の第２外フラップ１６Ａ，１６Ｂは、第３罫線Ｌ３を介して一対の側壁１１Ａ，１１Ｂの段方向他端部（下端部）に連なった状態に設けられている。各第２外フラップ１６Ａ，１６Ｂは、各第１外フラップ１４Ａ，１４Ｂと略同一寸法となる略長方形状に形成されている。
【００２４】
なお、第１罫線Ｌ１、第２罫線Ｌ２および第３罫線Ｌ３は、それぞれ、段ボールシートを裏ライナ９Ｃ側から厚み方向に直線状に潰して形成された汎用罫線である。
【００２５】
側壁１１Ａおよび第１外フラップ１４Ａには、組立状態の包装箱１を開封するための第１開封構造２０が形成されている。また、側壁１１Ｂおよび第１外フラップ１４Ｂには、組立状態の包装箱１を開封すると共に、情報の一例としての広告（図示せず）を表示するための第２開封構造３０が形成されている。
【００２６】
＜第１開封構造＞
第１開封構造２０は、第１下横切断線２１と、一対の第１縦切断線２２と、第１上横切断線２３と、を含んでいる。これらの切断線２１〜２３は、段方向他方（下方）から一方（上方）に向かって僅かに幅広くなる略長方形状（略台形状）の輪郭を形成している。
【００２７】
第１下横切断線２１は、刃物を段ボールシートの厚み方向に貫通させた複数の直線状の切目を略等間隔に並べて形成されたミシン線である。第１下横切断線２１は、側壁１１Ａの段方向他方（下部）に第３罫線Ｌ３と略平行に形成されている。また、側壁１１Ａには、第１下横切断線２１に沿って第１押込部２４が形成されている。第１押込部２４は、第１下横切断線２１から段方向一方（上方）に延びた一対の第１切目線２４Ａと、一対の第１切目線２４Ａの上端を結ぶ第１押込罫線２４Ｂ（汎用罫線）と、に囲まれて略長方形状に形成されている。
【００２８】
一対の第１縦切断線２２は、それぞれ、複数の屈折した切目を略等間隔に並べて形成されたジッパーである。各第１縦切断線２２の切目は、切断方向に延びた切目本体と、この切目本体に対して斜めに延びた誘導線と、を含んでいる。一対の第１縦切断線２２は、第１下横切断線２１の流れ方向両端部から段方向一方（上方）に向かって延びた後、湾曲して流れ方向両外側に向かって延びている。また、一対の第１縦切断線２２は、流れ方向両外側に向かって延びた後、屈曲して段方向一方（上方）に向かって延びている。一対の第１縦切断線２２は、第２罫線Ｌ２を横断して第１外フラップ１４Ａの突出寸法中央を超える位置まで延びている。
【００２９】
第１上横切断線２３は、一対の第１縦切断線２２の段方向一端部（上端）を結ぶように第２罫線Ｌ２と略平行に形成されたミシン線である。
【００３０】
＜第２開封構造＞
図３に示すように、第２開封構造３０は、中央切断線３１と、一対の第２縦切断線３２と、第２横切断線３３と、一対の上段切断線３４と、一対の中段切断線３５と、一対の下段切断線３６と、を含んでいる。これらの切断線３１〜３６は、段方向中間部から両端部（上下両端部）に向かって幅狭く略長方形状の輪郭を形成している。
【００３１】
中央切断線３１は、側壁１１Ｂの段方向略中央に第２罫線Ｌ２に沿うように形成されたミシン線である。詳細には、中央切断線３１は、流れ方向略中央で僅かに段方向一方（上方）に盛り上がるように湾曲している。また、側壁１１Ｂには、中央切断線３１の流れ方向中間部に沿って第２押込部３７が形成されている。第２押込部３７は、中央切断線３１から段方向一方（上方）に延びた一対の第２切目線３７Ａと、一対の第２切目線３７Ａの上端を結ぶ第２押込罫線３７Ｂ（汎用罫線）と、に囲まれて略長方形状に形成されている。
【００３２】
一対の第２縦切断線３２は、それぞれジッパーである。一対の第２縦切断線３２は、中央切断線３１の流れ方向両端部から段方向一方（上方）に向かって延びた後、屈曲して流れ方向両内側に向かって斜めに延びている。また、一対の第２縦切断線３２は、流れ方向両内側に向かって延びた後、屈曲して段方向一方（上方）に向かって延びている。一対の第２縦切断線３２は、第２罫線Ｌ２を横断して第１外フラップ１４Ｂの突出寸法中央を超える位置まで延びている。
【００３３】
第２横切断線３３は、一対の第２縦切断線３２の段方向一端部（上端）を結ぶように第２罫線Ｌ２と略平行に形成されたミシン線である。
【００３４】
なお、中央切断線３１と一対の第２縦切断線３２と第２罫線Ｌ２とで囲まれた領域には、第１補助罫線Ｌ４と、一対の第２補助罫線Ｌ５と、が形成されている。第１補助罫線Ｌ４は、流れ方向中央部において略Ｖ字状に形成されている。一対の第２補助罫線Ｌ５は、第１補助罫線Ｌ４の流れ方向外側において、段方向一方（上方）から他方（下方）に向かって互いに離れるように傾斜している。第１補助罫線Ｌ４は汎用罫線であり、各第２補助罫線Ｌ５は段ボールシートを表ライナ９Ｂ側から厚み方向に直線状に潰して形成された逆罫線である。
【００３５】
各上段切断線３４および各中段切断線３５は、それぞれミシン線である。一対の上段切断線３４は、中央切断線３１の流れ方向両端部から段方向他方（下方）に向かって延びた後、屈曲して流れ方向両内側に向かって斜めに延びている。つまり、一対の上段切断線３４の下端部は、流れ方向中央側に向かって斜め下方に傾斜している。一対の中段切断線３５は、一対の上段切断線３４の段方向他端部（下端部）から他方（下方）に延びている。一対の中段切断線３５は、流れ方向内側（中央側）に向かって斜め下方に傾斜している。
【００３６】
一対の下段切断線３６は、それぞれジッパーである。一対の下段切断線３６は、一対の中段切断線３５の段方向他端部（下端部）から流れ方向内側（中央側）に向かって湾曲しつつ段方向他方（下方）に延びている。一対の下段切断線３６の段方向他端部（下端部）は、第２外フラップ１６Ｂ（第３罫線Ｌ３）から段方向一方（上方）に離れた位置に形成されている。
【００３７】
側壁１１Ｂと第２外フラップ１６Ｂとの間の第３罫線Ｌ３には、一対の下段切断線３６の間に対応する位置に複数の直線状の切目が略等間隔に形成されている。この第３罫線Ｌ３の流れ方向中央部分は、汎用罫線上に略等間隔で複数の切目を形成したリード罫になっている。なお、本明細書では、この第３罫線Ｌ３のリード罫になった部分を「第１折線Ｌ１０」とも呼ぶこととする。
【００３８】
一対の下段切断線３６の間には、第３罫線Ｌ３（第１折線Ｌ１０）と略平行となる第２折線Ｌ１１が形成されている。詳細には、第２折線Ｌ１１の流れ方向両端部は、一対の下段切断線３６が段方向他方（下方）から一方（上方）に延びつつ流れ方向外側に曲がり始める辺りに接続している。第２折線Ｌ１１は、汎用罫線上に略等間隔で複数の切目を形成したリード罫である。
【００３９】
一対の中段切断線３５の段方向一端部（上端部）の間には、第１折線Ｌ１０や第２折線Ｌ１１と略平行となる第３折線Ｌ１２が形成されている。第３折線Ｌ１２は、上段切断線３４と中段切断線３５との接続部分よりも段方向一方（上方）にずれた位置に形成されている。第３折線Ｌ１２は、汎用罫線上に略等間隔で複数の切目を形成したリード罫である。第３折線Ｌ１２の流れ方向両端部には、一対の切込み部３８が形成されている。一対の切込み部３８は、第３折線Ｌ１２の流れ方向両端部から上段切断線３４と中段切断線３５との接続部分に向かって斜め下方に傾斜した切目である。
【００４０】
中央切断線３１、一対の上段切断線３４、一対の中段切断線３５および一対の下段切断線３６に沿って側壁１１Ｂを切断すると、下側板４０および上側板４１が形成されるようになっている。上側板４１は、上外側板４１Ａと、上内側板４１Ｂと、を含んでいる。
【００４１】
下側板４０は、一対の下段切断線３６、第１折線Ｌ１０および第２折線Ｌ１１に囲まれた領域に形成されている。一対の下段切断線３６（の下部）は段方向他方（下方）から一方（上方）に向かって流れ方向（左右方向）に僅かに広がるように傾斜しているため、下側板４０は下方から上方に向かって徐々に左右方向に幅広くなる略台形状に形成されている。
【００４２】
上外側板４１Ａは、一対の中段切断線３５、一対の下段切断線３６、第２折線Ｌ１１および第３折線Ｌ１２に囲まれた領域に形成されている。各下段切断線３６の段方向一方（上方）は流れ方向外側に（互いに離れるように）延びているため、上外側板４１Ａは下側板４０よりも流れ方向（左右方向）に長く形成されている。一対の中段切断線３５は段方向他方（下方）から一方（上方）に向かって流れ方向（左右方向）に僅かに広がるように傾斜しているため、上外側板４１Ａは下方から上方に向かって左右方向に徐々に幅広くなる略台形状に形成されている。上外側板４１Ａの表ライナ９Ｂには、例えば、文字や絵柄等の広告（情報）が印刷（表示）されている（図示せず）。
【００４３】
上内側板４１Ｂは、中央切断線３１、一対の上段切断線３４および第３折線Ｌ１２に囲まれた領域に形成されている。一対の上段切断線３４の下端部は流れ方向中央側に傾斜しているため、上内側板４１Ｂは上外側板４１Ａよりも流れ方向（左右方向）に長く形成されている。上内側板４１Ｂは、上外側板４１Ａの左右方向両端部との間に一対の切込み部３８を形成している。
【００４４】
［包装箱の組立］
上記したブランク５において、端壁１０Ａと側壁１１Ｂとが第１罫線Ｌ１に沿って折り曲げられ、且つ継代片１２が端壁１０Ａの内面に接着される。これにより、平坦に折り畳まれた包装箱１が形成される。包装箱１は、折り畳まれた状態で内容物の製造メーカ等に納品される。
【００４５】
次に、折り畳まれた包装箱１の組立工程について説明する。なお、包装箱１は、作業者によって手作業で組み立てられてもよいし、製函機によって自動または半自動で組み立てられてもよい。ここでは、作業者が包装箱１を組み立てる場合について説明する。
【００４６】
作業者は、一対の端壁１０Ａ，１０Ｂと一対の側壁１１Ａ，１１Ｂとを第１罫線Ｌ１に沿って折り曲げて周壁１Ａを形成する（図１参照）。この状態で、周壁１Ａは、上下両面を開口させた角筒状に形成されている。
【００４７】
続いて、作業者は、一対の第２内フラップ１５Ａ，１５Ｂを第３罫線Ｌ３に沿って折り曲げた後に、一対の第２外フラップ１６Ａ，１６Ｂを第３罫線Ｌ３に沿って折り曲げる。なお、一対の第２内フラップ１５Ａ，１５Ｂの先端は離間しており、一対の第２外フラップ１６Ａ，１６Ｂの先端は略中央で突き合わされている。続いて、作業者は、粘着テープＴを一対の第２外フラップ１６Ａ，１６Ｂの突き合わせ部分に沿って貼り付ける。この状態で、周壁１Ａの下面開口が閉塞され、包装箱１の底面が形成される。
【００４８】
次に、作業者は、複数の内容物を包装箱１の底面上に配置した後に、一対の第１内フラップ１３Ａ，１３Ｂおよび一対の第１外フラップ１４Ａ，１４Ｂを第２罫線Ｌ２に沿って折り曲げる。なお、一対の第１内フラップ１３Ａ，１３Ｂの先端は離間しており、一対の第１外フラップ１４Ａ，１４Ｂの先端は略中央で突き合わされている。続いて、作業者は、粘着テープＴを一対の第１外フラップ１４Ａ，１４Ｂの突き合わせ部分に沿って貼り付ける。この状態で、周壁１Ａの上面開口が閉塞され、包装箱１の天面が形成される。
【００４９】
以上によって、包装箱１の組立作業が完了する（図１参照）。つまり、包装箱１は封緘された状態になる。なお、以上の説明では、包装箱１の組立に粘着テープＴを用いていたが、これに代えて、接着剤を用いて各外フラップ１４Ａ，１４Ｂ，１６Ａ，１６Ｂを各内フラップ１３Ａ，１３Ｂ，１５Ａ，１５Ｂに固定してもよい。
【００５０】
［包装箱の開封および陳列］
次に、図４ないし図９を参照して、包装箱１の開封および陳列について説明する。図４は第１開口部２０Ａが開口した状態を示す斜視図である。図５は第２上側開口部３０Ａが開口した状態を示す斜視図である。図６は第２上側開口部３０Ａおよび第２下側開口部３０Ｂが開口した状態を示す斜視図である。図７は上外側板４１Ａが傾斜した姿勢になった状態を示す斜視図である。図８は、図７のＶＩＩＩ−ＶＩＩＩ断面図である。図９は切込み部３８で係合部３９を挟み込んだ状態を示す斜視図である。
【００５１】
内容物を包装した包装箱１は、例えば、商店に納品され、店員（ユーザー）によって開封および陳列される。ユーザは、第１開封構造２０と第２開封構造３０の少なくとも何れか一方を用いて包装箱１を開封する。内容物は、包装箱１に収容された状態で店頭に陳列（展示）される。
【００５２】
＜第１開封構造を用いた開封＞
図４に示すように、第１開封構造２０を用いて包装箱１を開封する場合、側壁１１Ａが前方に向くように包装箱１を配置する。ユーザは、側壁１１Ａに形成された第１押込部２４（図２参照）を押し込む。第１押込部２４は、第１切目線２４Ａに沿って切断され、第１押込罫線２４Ｂで内側に折れ曲がる。ユーザは、第１押込部２４を押し込んで形成した穴に指を入れ、第１押込部２４を掴んで手前斜め上方に引っ張る。すると、側壁１１Ａは、第１下横切断線２１および一対の第１縦切断線２２に沿って切断される。また、側壁１１Ａに連なった第１外フラップ１４Ａも、一対の第１縦切断線２２および第１上横切断線２３に沿って切断される。これにより、第１下横切断線２１、一対の第１縦切断線２２および第１上横切断線２３に囲まれた領域が包装箱１から除去され、側壁１１Ａから第１外フラップ１４Ａに亘って大きな第１開口部２０Ａが形成される。
【００５３】
以上によって、包装箱１が開封され、第１開口部２０Ａを通して包装箱１内の内容物を取り出すことができるようになる。第１外フラップ１４Ａの一部にまで第１開口部２０Ａが形成されるため、来店者は包装箱１内の内容物を前側斜め上方から目視することができると共に、その内容物を容易に取り出すことができる。なお、一対の第１内フラップ１３Ａ，１３Ｂに形成された欠損部１３Ｃは、第１開口部２０Ａを避けるように形成されているため、一対の第１内フラップ１３Ａ，１３Ｂが第１開口部２０Ａに露出することがない。これにより、第１開口部２０Ａの開口面積を最大限確保することができると共に、開封状態とした包装箱１の美観を向上させることができる。
【００５４】
＜第２開封構造を用いた開封＞
図５に示すように、第２開封構造３０を用いて包装箱１を開封する場合、側壁１１Ｂが前方に向くように包装箱１を配置する。ユーザは、側壁１１Ｂに形成された第２押込部３７（図３参照）を押し込む。第２押込部３７は、第２切目線３７Ａに沿って切断され、第２押込罫線３７Ｂで内側に折れ曲がる。ユーザは、第２押込部３７を押し込んで形成した穴に指を入れ、第２押込部３７を掴んで手前斜め上方に引っ張る。すると、側壁１１Ｂの略上側半分は、第１補助罫線Ｌ４で山折れしつつ各第２補助罫線Ｌ５で谷折れして（図３参照）、中央切断線３１に沿って切断される。その後、側壁１１Ｂの略上側半分は一対の第２縦切断線３２に沿って切断され、側壁１１Ｂに連なった第１外フラップ１４Ｂも一対の第２縦切断線３２および第２横切断線３３に沿って切断される。これにより、中央切断線３１、一対の第２縦切断線３２および第２横切断線３３に囲まれた領域が包装箱１から除去され、側壁１１Ｂの上下方向略中央から第１外フラップ１４Ｂに亘って第２上側開口部３０Ａが形成される。
【００５５】
なお、一対の第２縦切断線３２の上部は左右方向に幅狭くなるように形成されているため、第２上側開口部３０Ａは一対の第１内フラップ１３Ａ，１３Ｂを避けるように形成される。これにより、一対の第１内フラップ１３Ａ，１３Ｂが第２上側開口部３０Ａに露出することが防止され、開封状態とした包装箱１の美観を向上させることができる。
【００５６】
次に、図６に示すように、ユーザは、側壁１１Ｂの略下側半分（上内側板４１Ｂ）を掴んで手前斜め下方に引っ張る。すると、上内側板４１Ｂ、上外側板４１Ａおよび下側板４０は、一対の上段切断線３４、一対の中段切断線３５および一対の下段切断線３６に沿って切断される。これにより、上内側板４１Ｂ、上外側板４１Ａおよび下側板４０は、第１折線Ｌ１０を介して第２外フラップ１６Ｂから前方に延びた状態になり、側壁１１Ｂの上下方向略中央から下端までの間（周壁１Ａの側面）に第２下側開口部３０Ｂが形成される。
【００５７】
この状態で、第２下側開口部３０Ｂの側縁部には、一対の係合部３９が形成されている。一対の係合部３９は、一対の上段切断線３４の下端部と一対の中段切断線３５とに対応する位置に形成されている。一対の上段切断線３４の下端部は上方から下方に向かって左右方向中央側に傾斜しているため、一対の係合部３９は第２下側開口部３０Ｂの左右両側の側縁部から内側に向かって突き出した状態に形成されている。
【００５８】
次に、図７に示すように、ユーザは、下側板４０を第１折線Ｌ１０に沿って内側に折り曲げ、上外側板４１Ａを第２折線Ｌ１１に沿って内側に折り曲げる。また、ユーザは、上内側板４１Ｂを第３折線Ｌ１２に沿って内側に折り曲げつつ、上外側板４１Ａと上内側板４１Ｂとの間に形成された一対の切込み部３８によって一対の係合部３９を挟み込む。
【００５９】
図８に示すように、この状態で、下側板４０は、第２下側開口部３０Ｂの下縁部（第１折線Ｌ１０）から外側斜め上方に延びた状態に設けられている。上外側板４１Ａは、下側板４０の上端部（先端部）から内側斜め上方に延びた状態に設けられている。つまり、下側板４０と上外側板４１Ａとは、前方に向かって突き出した略三角形状に形成されている。下側板４０と上外側板４１Ａとが成す角度θ１は、約９０度に設定されている。また、下側板４０と水平面（包装箱１の設置面）とが成す角度θ２は約４５度に設定され、上外側板４１Ａと水平面とが成す角度θ３も約４５度に設定されている。
【００６０】
また、図７に示すように、下側板４０と上外側板４１Ａとが傾斜した姿勢になることで、上外側板４１Ａの上部（幅広い部分）が一対の係合部３９（第２下側開口部３０Ｂの幅狭い部分）まで下がることになる。図８および図９に示すように、上内側板４１Ｂは、上外側板４１Ａの上端部（先端部）から周壁１Ａの内部に向かって斜め下方に延びた状態に設けられる。そして、一対の係合部３９は、一対の切込み部３８に挟まれて（上側板４１の左右方向両端部に係合して）上外側板４１Ａ（上側板４１）を傾斜した姿勢に保持する。
【００６１】
以上によって、包装箱１が開封され、第２上側開口部３０Ａを通して包装箱１内の内容物を取り出すことができるようになる（図７参照）。また、上外側板４１Ａが前傾姿勢となるため、来店者は、店頭において上外側板４１Ａの上面に表示された広告を前側斜め上方から目視することができる。このように、上外側板４１Ａの広告は、所謂ＰＯＰ広告（Ｐｏｉｎｔ  ｏｆ  ｐｕｒｃｈａｓｅ  ａｄｖｅｒｔｉｓｉｎｇ）として店頭で販売促進のために用いられる。また、上外側板４１Ａ（上側板４１）が下側板４０よりも左右方向に幅広く形成されているため、広告の表示スペースを大きく確保することができ、その広告を目立たせることができる。また、第１外フラップ１４Ｂの一部にまで第２上側開口部３０Ａが形成されるため、来店者は包装箱１内の内容物を前側斜め上方から目視することができると共に、その内容物を容易に取り出すことができる。
【００６２】
なお、以上の説明では、第１開封構造２０または第２開封構造３０を用いて包装箱１を開封する場合について説明したが、これに限らず、第１開封構造２０と第２開封構造３０との両方を用いて包装箱１を開封してもよい。
【００６３】
以上説明した第１実施形態に係る包装箱１では、下側板４０が前側斜め上方に延び、上外側板４１Ａが後側斜め上方に延びていた（図８参照）。つまり、下側板４０と上外側板４１Ａとが相反する傾きをもつ構成とした。この構成によれば、下側板４０と上外側板４１Ａとを対向させた（重ねた）場合に比べて、下側板４０と上外側板４１Ａとの成す角度θ１を大きくすることができる。これにより、下側板４０と上外側板４１Ａとの折り曲げ部分（第２折線Ｌ１１）に働く反発力を弱めることができ、上側板４１の左右方向両端部（一対の切込み部３８）を一対の係合部３９に係合させた状態を維持することができる。この結果、広告を表示した上外側板４１Ａを傾斜した姿勢に保持することができる。
【００６４】
また、第１実施形態に係る包装箱１によれば、下側板４０と上外側板４１Ａとが成す角度θ１を９０度程度に設定することで、下側板４０と上外側板４１Ａとの折り曲げ部分（第２折線Ｌ１１）に働く反発力を弱めつつ、上外側板４１Ａを前傾姿勢にすることができる。これにより、来店者は上外側板４１Ａに表示された広告を前側斜め上方から目視することができる。
【００６５】
また、第１実施形態に係る包装箱１によれば、上内側板４１Ｂを周壁１Ａ内に進入させた状態とし、一対の係合部３９を一対の切込み部３８で挟み込むことで、上外側板４１Ａ（上側板４１）を確りと保持することができる。これにより、上側板４１が各係合部３９から離脱することを有効に抑制することができる。
【００６６】
また、本実施形態に係る包装箱１では、下側板４０および上側板４１は、それぞれ、周壁１Ａの下端部から上方に向かって延びた各切断線３４〜３６に沿って切断された周壁１Ａ（側壁１１Ｂ）の一部によって形成される構成とした。また、第２下側開口部３０Ｂは、各切断線３４〜３６に沿って下側板４０および上側板４１を切断した位置に形成される構成とした。さらに、上側板４１（上外側板４１Ａおよび上内側板４１Ｂ）は、下方から上方に向かって左右方向に徐々に広がるように形成されていた。この構成によれば、上外側板４１Ａの上部は一対の係合部３９の下部の間隔よりも幅広く形成されている（図３参照）。また、下側板４０と上外側板４１Ａと略三角形状に折り曲げることで、上側板４１（上外側板４１Ａおよび上内側板４１Ｂ）の上部を一対の係合部３９の下部まで下げることができる（図７参照）。このため、上側板４１の一対の切込み部３８と一対の係合部３９との重なり幅Ｗ１を十分に確保することができる（図３参照）。これにより、各切込み部３８と各係合部３９との係合を強固にすることができ、上側板４１が各係合部３９から離脱することを更に有効に抑制することができる。
【００６７】
なお、第１実施形態に係る包装箱１では、第１開封構造２０が側壁１１Ａに形成され、第２開封構造３０が側壁１１Ｂに形成されていたが、本発明はこれに限定されない。第１開封構造２０は省略されていてもよい。また、例えば、第１開封構造２０が省略され、２つの第２開封構造３０が両側の側壁１１Ａ，１１Ｂに形成されていてもよい。また、第２開封構造３０は、一対の側壁１１Ａ，１１Ｂの少なくとも一方に代えて／加えて、一対の端壁１０Ａ，１０Ｂの少なくとも一方に形成されていてもよい。
【００６８】
また、第１実施形態に係る包装箱１では、上側板４１が上外側板４１Ａと上内側板４１Ｂとを含んでいたが、これに限らず、上内側板４１Ｂは省略されていてもよい。この場合、上外側板４１Ａ（上側板４１）の左右両端部に切込み部３８が形成されることが好ましい。
【００６９】
また、第１実施形態に係る包装箱１では、上側板４１（上外側板４１Ａと上内側板４１Ｂとの間）に切込み部３８が形成されていたが、本発明はこれに限定されない。図１０に示すように、変形例に係る包装箱１（ブランク５）として、上側板４１の切込み部３８を省略し、一対の係合部３９が、それぞれ、上側板４１（上外側板４１Ａ）の左右方向両端部を挟み込む切込み部４２を有していてもよい。各切込み部４２は、係合部３９の下部において左右方向外側に向かって延びた切目である。
【００７０】
［第２実施形態］
次に、図１１ないし図１３を参照して、第２実施形態に係る包装箱２の構成について説明する。図１１は包装箱２を示す斜視図である。図１２は包装箱２のブランク６を示す平面図である。図１３はブランク６の開封構造６０を示す平面図である。なお、第１実施形態に係る包装箱１と同様の構成については同一の符号を付し、包装箱１と同様の構成または対応する構成の説明は省略する。
【００７１】
図１１に示すように、包装箱２は、角筒状の周壁２Ａの上下両面を閉塞して粘着テープＴ等で封緘されるＡ式の段ボール箱である。
【００７２】
［ブランク］
図１２に示すように、ブランク６は、一対の端壁５０Ａ，５０Ｂと、一対の側壁５１Ａ，５１Ｂと、継代片５２と、一対の第１内フラップ５３Ａ，５３Ｂと、一対の第１外フラップ５４Ａ，５４Ｂと、一対の第２内フラップ５５Ａ，５５Ｂと、一対の第２外フラップ５６Ａ，５６Ｂと、を含んでいる。
【００７３】
継代片５２、側壁５１Ａ、端壁５０Ａ、側壁５１Ｂおよび端壁５０Ｂは、この順番で流れ方向一方から他方に向かって一列に並んでいる。各端壁５０Ａ，５０Ｂおよび各側壁５１Ａ，５１Ｂは、それぞれ、略長方形状に形成されている。各側壁５１Ａ，５１Ｂの段方向の寸法は各端壁５０Ａ，５０Ｂの段方向の寸法と略同一寸法であり、各側壁５１Ａ，５１Ｂの流れ方向の寸法は各端壁５０Ａ，５０Ｂの流れ方向の寸法よりも長く設定されている。各端壁５０Ａ，５０Ｂ、各側壁５１Ａ，５１Ｂおよび継代片５２の境界には、第１罫線Ｌ１が形成されている。継代片５２が端壁５０Ｂの内面に接着され、一対の端壁５０Ａ，５０Ｂと一対の側壁５１Ａ，５１Ｂとが第１罫線Ｌ１に沿って折り曲げられて略角筒状の周壁２Ａを形成する。
【００７４】
一対の第１内フラップ５３Ａ，５３Ｂは一対の端壁５０Ａ，５０Ｂの段方向一端部（上端部）に連なった状態に設けられ、一対の第１外フラップ５４Ａ，５４Ｂは一対の側壁５１Ａ，５１Ｂの段方向一端部に連なった状態に設けられている。各第１内フラップ５３Ａ，５３Ｂおよび各第１外フラップ５４Ａ，５４Ｂは、第２罫線Ｌ２に沿って折り曲げられて周壁２Ａの上面開口を閉塞する。また、一対の第２内フラップ５５Ａ，５５Ｂは一対の端壁５０Ａ，５０Ｂの段方向他端部（下端部）に連なった状態に設けられ、一対の第２外フラップ５６Ａ，５６Ｂは一対の側壁５１Ａ，５１Ｂの段方向他端部に連なった状態に設けられている。各第２内フラップ５５Ａ，５５Ｂおよび各第２外フラップ５６Ａ，５６Ｂは、第３罫線Ｌ３に沿って折り曲げられて周壁２Ａの下面開口を閉塞する。
【００７５】
各端壁５０Ａ，５０Ｂ、各側壁５１Ａ，５１Ｂおよび継代片５２には、組立状態の包装箱２を開封すると共に、広告（情報）表示するための開封構造６０が形成されている。
【００７６】
＜開封構造＞
図１２および図１３に示すように、開封構造６０は、カットテープ６１と、横切断線６２と、一対の傾斜切断線６３と、一対の垂直切断線６４と、を含んでいる。カットテープ６１は、包装箱２を流れ方向に沿って引き裂くためのテープである。各切断線６２〜６４は、略長方形状の輪郭を形成している。
【００７７】
図１２に示すように、カットテープ６１は、合成樹脂または綿等を薄い帯状に加工したものであって、継代片５２および各壁５０Ａ，５０Ｂ，５１Ａ，５１Ｂの裏ライナ９Ｃに貼り付けられている。カットテープ６１は、第２罫線Ｌ２（第３罫線Ｌ３）と略平行に、且つ継代片５２および各壁５０Ａ，５０Ｂ，５１Ａ，５１Ｂの流れ方向全域に亘って延びた状態に設けられている。カットテープ６１は、継代片５２および各壁５０Ａ，５０Ｂ，５１Ａ，５１Ｂの段方向中央よりも僅かに他方（下方）に貼り付けられている。
【００７８】
一対の端壁５０Ａ，５０Ｂの流れ方向略中央には、それぞれ、摘み部６１Ａ，６１Ｂが形成されている。各摘み部６１Ａ，６１Ｂは、カットテープ６１を切断するように段方向（上下方向）に延びた切目と、カットテープ６１と平行に延びた上下一対の切目とによって囲まれた領域に形成されている。なお、端壁５０Ｂの流れ方向他端部と継代片５２とには、カットテープ６１と平行に延びた上下一対の切目が形成されている。
【００７９】
図１３に示すように、横切断線６２、一対の傾斜切断線６３および一対の垂直切断線６４は、側壁５１Ｂの流れ方向一方（左側）に寄った位置に形成されている。横切断線６２は、カットテープ６１よりも段方向一方（上方）でカットテープ６１と略平行に形成されたミシン線である。
【００８０】
一対の傾斜切断線６３は、横切断線６２の流れ方向両端部から段方向他方に向かって延びた切目である。一対の傾斜切断線６３は、カットテープ６１を横断し、カットテープ６１と第３罫線Ｌ３との間隔の略中央まで延びている。一対の傾斜切断線６３は、段方向一方（上方）から他方（下方）に向かって内側に（互いに近付くように）僅かに傾斜している。一対の傾斜切断線６３は、カットテープ６１を横断した直後に内側に向かって突き出すように湾曲している。この傾斜切断線６３の突出部分は、略半円形状に形成されている。
【００８１】
一対の垂直切断線６４は、それぞれ、複数の略Ｙ字状の切目を略等間隔に並べて形成されたジッパーである。一対の垂直切断線６４は、一対の傾斜切断線６３の段方向他端部（下端部）から他方（下方）に略垂直に延びている。一対の垂直切断線６４は、一対の傾斜切断線６３の下端部から第３罫線Ｌ３までの間に形成されている。なお、本明細書では、一対の垂直切断線６４の間に形成された第３罫線Ｌ３を「第１折線Ｌ２０」とも呼ぶこととする。
【００８２】
一対の垂直切断線６４の間には、第３罫線Ｌ３（第１折線Ｌ２０）と略平行となる第２折線Ｌ２１が形成されている。第２折線Ｌ２１は、その流れ方向両端部を一対の垂直切断線６４の段方向略中央に接続した汎用罫線である。
【００８３】
横切断線６２、一対の傾斜切断線６３および一対の垂直切断線６４に沿って側壁５１Ｂを切断すると、下側板７０および上側板７１が形成されるようになっている。
【００８４】
下側板７０は、一対の垂直切断線６４、第１折線Ｌ２０および第２折線Ｌ２１に囲まれた領域に形成されている。下側板７０は、略長方形状に形成されている。上側板７１は、横切断線６２、一対の傾斜切断線６３、一対の垂直切断線６４および第２折線Ｌ２１に囲まれた領域に形成されている。一対の傾斜切断線６３は段方向他方（下方）から一方（上方）に向かって流れ方向に僅かに広がるように傾斜しているため、上側板７１は下方から上方に向かって左右方向に徐々に幅広くなる略台形状に形成されている。また、上側板７１の段方向の寸法は、下側板７０の段方向の寸法よりも長く（略３倍）設定されている。上側板７１の表ライナ９Ｂには、例えば、広告（情報）が印刷（表示）されている。
【００８５】
［包装箱の開封および陳列］
次に、図１４ないし図１８を参照して、包装箱２の開封および陳列について説明する。図１４は包装箱２の上部を除去した状態を示す斜視図である。図１５は開口部６０Ａが開口した状態を示す斜視図である。図１６は上側板７１が傾斜した姿勢になった状態を示す斜視図である。図１７は凹部７２と係合部６５とが係合した状態を示す斜視図である。図１８は、図１６のＸＶＩＩＩ−ＸＶＩＩＩ断面図である。なお、包装箱２は、第１実施形態に係る包装箱１の組立工程と略同一の手順で組み立てられているものとする。
【００８６】
図１４に示すように、包装箱２を開封する場合、ユーザは、摘み部６１Ａ，６１Ｂ（図１２参照）を把持して略水平に引っ張る。周壁２Ａ（各端壁５０Ａ，５０Ｂおよび各側壁５１Ａ，５１Ｂ）は、カットテープ６１に沿って切断される。なお、カットテープ６１は各傾斜切断線６３によって切断されているため、上側板７１は切断されずに残ることになる。その後、ユーザが包装箱２の上部を上方に引っ張ると、側壁５１Ｂは横切断線６２（図１３参照）および一対の傾斜切断線６３の上部に沿って切断される。すると、包装箱２は、上下に二分割（開封）される。包装箱２の下部は、トレイ状に形成され、内容物を収容した状態で店頭に陳列されることになる。なお、包装箱２の上部は廃棄処分されることになる。
【００８７】
次に、図１５に示すように、ユーザは、上側板７１の上部を掴んで手前斜め下方に引っ張る。すると、上側板７１および下側板７０は、一対の傾斜切断線６３の下部および一対の垂直切断線６４に沿って切断される。これにより、上側板７１および下側板７０は、第１折線Ｌ２０を介して第２外フラップ５６Ｂから前方に延びた状態になり、包装箱２の下部の上端から下端までの間（周壁１Ａの側面）に開口部６０Ａが形成される。
【００８８】
この状態で、開口部６０Ａの左右両側の側縁部には、一対の係合凸部６５Ａと一対の係合傾斜部６５Ｂとを含む係合部６５が形成されている。一対の係合凸部６５Ａは、開口部６０Ａの左右両側の側縁部から内側に向かって突き出した状態に形成されている。一対の係合凸部６５Ａは、各傾斜切断線６３の突出部分に対応しており、略半円形状に形成されている。一対の係合傾斜部６５Ｂは、一対の係合凸部６５Ａよりも下方に形成されている。一対の係合傾斜部６５Ｂは、一対の傾斜切断線６３に対応しており、上方から下方に向かって左右方向内側に僅かに傾斜している。また、一対の係合凸部６５Ａに対応して、上側板７１の左右方向両端部には、一対の凹部７２が略半円形状に凹んだ状態に形成されている。ここで、図１３に示すように、上側板７１の下端部の左右幅Ｗ１０（第２折線Ｌ２１の長さ）は、下側板７０の左右幅（第１折線Ｌ２０の長さ）と略同一であり、且つ一対の凹部７２の最底点における間隔Ｗ２０よりも長くなっている。また、上側板７１の下端部の左右幅Ｗ１０は、上側板７１の上端部の左右幅Ｗ３０（上側板７１の最大幅）よりも短くなっている。
【００８９】
次に、図１６ないし図１８に示すように、ユーザは、下側板７０を第１折線Ｌ２０に沿って内側に折り曲げ、上側板７１を第２折線Ｌ２１に沿って内側に折り曲げる。また、ユーザは、上側板７１の上部を包装箱１の内部に進入させつつ、一対の凹部７２を一対の係合傾斜部６５Ｂに係合させる。一対の凹部７２は、一対の係合傾斜部６５Ｂに遊びをもった状態に噛み合う（係合する）。一対の係合凸部６５Ａは、一対の凹部７２よりも上方において上側板７１の左右両端部に係合する。詳細には、上側板７１は、その左右両端部の表ライナ９Ｂを一対の係合凸部６５Ａの裏ライナ９Ｃに当接させた状態になる。
【００９０】
図１８に示すように、この状態で、下側板７０は、開口部６０Ａの下縁部から外側斜め上方に延びた状態に設けられ、上側板７１は、下側板７０の上端部から内側斜め上方に延びた状態に設けられる。つまり、下側板４０と上側板７１とは、前方に向かって突き出した略三角形状（角度θ１０≒９０度）に形成されている。また、下側板７０と水平面とが成す角度θ２０は約３０度に設定され、上側板７１と水平面とが成す角度θ３０は約６０度に設定されている。
【００９１】
以上によって、包装箱２が開封されると共に、上側板７１が前傾姿勢に保持される。これにより、来店者は上側板７１に表示された広告（ＰＯＰ広告）を前側斜め上方から目視することができる。また、上側板７１が下側板７０よりも上下方向に幅広く形成されているため、広告の表示スペースを大きく確保することができ、その広告を目立たせることができる。
【００９２】
以上説明した第２実施形態に係る包装箱２によれば、下側板７０と上側板７１との折り曲げ部分に働く反発力を弱めて上側板７１を傾斜した姿勢に保持することが可能になる等、第１実施形態に係る包装箱１と略同様の効果を得ることができる。また、この構成によれば、上側板７１および開口部６０Ａは下方から上方に向かって徐々に幅広く形成されている（図１３参照）。また、下側板７０と上側板７１とを屈曲させることで、上側板７１の一対の凹部７２を一対の係合凸部６５Ａよりも下げることができる（図１６参照）。このため、一対の凹部７２と一対の係合傾斜部６５Ｂとの重なり幅Ｗ２を十分に確保することができる（図１３参照）。これにより、上側板７１の左右方向両端部（凹部７２）と各係合部６５（係合凸部６５Ａおよび係合傾斜部６５Ｂ）との係合を強固にすることができ、上側板７１が各係合部６５から離脱することを更に有効に抑制することができる。
【００９３】
なお、以上説明した上側板７１（凹部７２）や係合部６５（係合凸部６５Ａおよび係合傾斜部６５Ｂ）を第１実施形態に係る包装箱１に適用してもよい。すなわち、包装箱１の第２開封構造３０において、上内側板４１Ｂを省略し、上外側板４１Ａに凹部７２を形成し、第２下側開口部３０Ｂの側縁部に係合凸部６５Ａおよび係合傾斜部６５Ｂを形成してもよい。
【００９４】
また、第２実施形態に係る包装箱２では、上側板７１の下端部の左右幅Ｗ１０が一対の凹部７２の間隔Ｗ２０よりも長く設定されていたが、本発明はこれに限定されない。図１９に示すように、変形例に係る包装箱２（ブランク６）として、一対の凹部７２の間隔Ｗ２０が、上側板７１の下端部の左右幅Ｗ１０よりも長く、且つ上側板７１の上端部の左右幅Ｗ３０（最大幅）よりも短く設定されていてもよい。
【００９５】
また、第２実施形態に係る包装箱２では、各切断線６２〜６４は、側壁５１Ｂの左側に形成されていたが、これに限らず、例えば、側壁５１Ｂの右側や中央に形成されていてもよい。また、他にも、各切断線６２〜６４は、一対の側壁５１Ａ，５１Ｂの少なくとも一方に代えて／加えて、一対の端壁５０Ａ，５０Ｂの少なくとも一方に形成されていてもよい。
【００９６】
また、第２実施形態に係る包装箱２では、開封構造６０にカットテープ６１が用いられていたが、これに限らず、ジッパーや、裏ライナ９Ｃを直線的に切断したライナーカット等が用いられていてもよい。
【００９７】
また、第２実施形態に係る包装箱２では、上側板７１に凹部７２が形成され、開口部６０Ａの側縁部に係合凸部６５Ａが形成されていたが、上側板７１の左右方向両端部が開口部６０Ａの左右両側の側縁部に確りと係合のであれば、凹部７２や係合凸部６５Ａは省略されていてもよい。
【００９８】
なお、第１および第２実施形態に係る包装箱１，２では、下側板４０と上外側板４１Ａとが成す角度θ１および下側板７０と上側板７１とが成す角度θ１０が、それぞれ、約９０度に設定されていたが、本発明はこれに限定されない。この角度θ１，θ１０は、７０度以上１６０度以下の範囲で設定されていればよい。例えば、角度θ１，θ１０が７０度未満になると、下側板４０と上外側板４１Ａと（下側板７０と上側板７１と）の折り曲げ部分（第２折線Ｌ１１，Ｌ２１）に働く反発力が強くなり始めるため、上側板４１，７１の左右方向両端部を一対の係合部３９，６５に係合させた状態を維持することができなくなる虞がある。一方で、角度θ１，θ１０が１６０度を超えると、上外側板４１Ａや上側板７１が直立状態に近くなるため、来店者に対して広告を見せ難くなるという問題がある。その点、第１および第２実施形態に係る包装箱１，２では、角度θ１，θ１０を７０度以上１６０度以下の範囲とすることで、上記のような不具合を抑制することができる。なお、この角度θ１，θ１０は、直角または鈍角（９０度よりも大きく、１６０度より小さい角度）であることが更に好ましい。また、下側板４０，７０と水平面とが成す角度θ２，θ２０や、上側板４１，７１（上外側板４１Ａ）と水平面とが成す角度θ３，θ３０は、角度θ１，θ１０が上記範囲に設定されるように適宜変更（調整）されてもよい。また、下側板４０，７０は、各開口部３０Ｂ，６０Ａの下縁部から外側（前側）に向かって略水平に延びていてもよい。つまり、下側板４０，７０は、水平面と平行（θ２，θ２０＝０度）に設けられていてもよい。
【００９９】
また、第１および第２実施形態に係る包装箱１，２では、上外側板４１Ａや上側板７１の表ライナ９Ｂ（上面）に広告等の情報が印刷されていたが、本発明はこれに限定されない。例えば、広告等の情報が印刷されたステッカが上外側板４１Ａや上側板７１に貼付されていてもよい。また、この情報は、広告に限らず、バーコード（一次元コード、二次元コード）等であってもよい。
【０１００】
また、第１および第２実施形態に係る包装箱１，２では、数々の切断線２１〜２３、３１〜３６、６２〜６４がミシン線やジッパーで形成されていたが、これに限らず、ユーザが手作業で段ボールシートを切断することを可能とする切断線であればいかなるものでもよい。
【０１０１】
また、第１および第２実施形態に係る包装箱１，２では、下側板４０，７０および上側板４１，７１は側壁１１Ｂ，５１Ｂの一部を切断することで形成され、第２下側開口部３０Ｂや開口部６０Ａは上側板４１，７１等を切断した領域に形成されていたが、本発明はこれに限定されない。例えば、上側板４１，７１等と各開口部３０Ｂ，６０Ａ等とは、ブランク５，６の状態で別途独立して形成されていてもよい。
【０１０２】
また、第１および第２実施形態に係る包装箱１，２では、周壁１Ａ，２Ａが角筒状に形成されていたが、本発明はこれに限定されない。例えば、周壁は、四角形以外の多角形状の断面を有する筒状に形成されてもよいし、円形状や楕円形状の断面を有する筒状に形成されてもよい（図示せず）。また、底面や天面の形状も、周壁１Ａ，２Ａの断面形状に合わせて四角形以外の多角形状に形成されてもよいし、円形状や楕円形状に形成されてもよい（図示せず）。
【０１０３】
また、第１および第２実施形態に係る包装箱１，２は、Ａ式の段ボール箱であったが、本発明はこれに限定されない。例えば、上記した各開封構造２０，３０，６０が、Ｂ式、Ｃ式または奴式（たとう式）等の様々な形式の段ボール箱に適用されていてもよい。
【０１０４】
また、本実施形態に係る包装箱１は、紙製の段ボールで形成されていたが、これに限らず、例えば、厚紙や樹脂製の板等で形成されていてもよい。
【０１０５】
なお、上記実施形態の説明は、本発明に係る包装箱における一態様を示すものであって、本発明の技術範囲は、上記実施形態に限定されるものではない。
【符号の説明】
【０１０６】
１，２  包装箱
１Ａ，２Ａ  周壁
１１Ｂ，５１Ｂ  側壁（側面）
３０Ｂ  第２下側開口部（開口部）
３８，４２  切込み部
３９，６５  係合部
４０，７０  下側板
４１，７１  上側板
４１Ａ  上外側板
４１Ｂ  上内側板
６０Ａ  開口部
６５Ａ  係合凸部
７２    凹部
θ１，θ１０  角度
【図１】
2018193114.tif 000003
【図２】
2018193114.tif 000004
【図３】
2018193114.tif 000005
【図４】
2018193114.tif 000006
【図５】
2018193114.tif 000007
【図６】
2018193114.tif 000008
【図７】
2018193114.tif 000009
【図８】
2018193114.tif 000010
【図９】
2018193114.tif 000011
【図１０】
2018193114.tif 000012
【図１１】
2018193114.tif 000013
【図１２】
2018193114.tif 000014
【図１３】
2018193114.tif 000015
【図１４】
2018193114.tif 000016
【図１５】
2018193114.tif 000017
【図１６】
2018193114.tif 000018
【図１７】
2018193114.tif 000019
【図１８】
2018193114.tif 000020
【図１９】
2018193114.tif 000021